(57)【要約】【課題】エレベータの報知装置の点灯状態確認中においても報知装置の信頼性が高く、容易かつ安価に設置できるエレベータの点検装置を提供する。【解決手段】複数台のエレベータを有する各階床の乗場にそれぞれ設けられた複数の報知装置１及び複数の乗場ボタン２と、これら乗場ボタン２の登録状況に応じてエレベータの先着を制御する制御装置４とを備えたエレベータの点検装置において、報知装置１の点検指令を制御装置４に与える報知装置点検指令手段６と、これらエレベータのうち一台を通常運転から切り離して点検運転とする切り離し指令を制御装置４に与える専用運転設定手段５とを設け、これら点検指令及び切り離し指令を受けた制御装置４は、停止予定階床において、乗場ボタン２の登録がないとき、報知装置１を全て動作させるように制御するとともに、乗場ボタン２の登録があるとき、先着のエレベータの報知装置１のみを動作させるように制御する。【選択図】図２
2010047409.tif 000002
【特許請求の範囲】
【請求項１】
複数台のエレベータが併設された各階床の乗場にそれぞれ設けられた複数の呼釦と、各階床の乗場で前記呼釦の登録状況に応じてどのエレベータの乗り籠を先に到着させるかを制御する制御装置と、各階床の乗場にそれぞれ設けられて前記制御装置の指令に応じてどのエレベータの乗り籠が先に当該乗場に到着するかを報知する複数の報知装置とを備えたエレベータの点検装置において、
前記報知装置の点検指令を前記制御装置に与える点検指令手段と、前記各エレベータのうちの一台を通常運転から切り離して点検運転とする切り離し指令を前記制御装置に与える専用運転設定手段とを設け、
前記点検指令及び前記切り離し指令を受けた前記制御装置は、前記点検指令手段及び前記専用運転設定手段で特定された一台のエレベータを通常運転から切り離して点検運転とし、この点検運転としたエレベータの乗り籠が停止する停止予定階床において前記呼釦が登録されていないとき、この停止予定階床の前記報知装置を全て動作させるように制御するとともに、この停止予定階床において前記呼釦が登録されているとき、この停止予定階床に先に到着する通常運転のエレベータの前記報知装置のみを動作させるように制御することを特徴とするエレベータの点検装置。
【請求項２】
請求項１記載のエレベータの点検装置において、前記制御装置は、前記停止予定階床に先に到着する通常運転のエレベータの前記報知装置のみを動作させるように制御した後に、この停止予定階床において前記点検指令手段から前記点検指令を再び受けたとき、この停止予定階床の前記報知装置を全て動作させるように制御することを特徴とするエレベータの点検装置。
【請求項３】
請求項１または２記載のエレベータの点検装置において、前記点検指令手段は、前記エレベータの乗り籠内に運転盤の押釦またはこの運転盤に接続可能な保守端末を備え、前記押釦または前記保守端末の操作に応じて前記制御装置に前記点検指令を与えることを特徴とするエレベータの点検装置。
【発明の詳細な説明】
【技術分野】
【０００１】
本発明は、エレベータの点検装置に係わり、特に、乗場に備えられた複数台のエレベータの報知装置の点検に好適なエレベータの点検装置に関する。
【背景技術】
【０００２】
一般に、複数台のエレベータが同一の乗場に納められている場合、各エレベータに応じた複数の呼釦と複数の報知装置が各乗場にそれぞれ設けられており、これらの呼釦のうち１つを登録すると、当該乗場でサービスを行う１台のエレベータの報知装置が点灯する。この報知装置の点灯によって、当該乗場にいるエレベータの乗客はどのエレベータが到着するのかを知ることができる。
【０００３】
これらのエレベータの報知装置は、このような役目を果たすため、エレベータの定期点検作業時にその点灯状態を確認する必要がある。この点灯状態の確認方法として、乗り籠内や監視盤に取り付けられた確認スイッチまたは保守端末からの入力により、複数台のエレベータから点検エレベータを指定し、当該エレベータが停止した階床の報知装置を全て点灯させることで点灯状態を確認している。
【０００４】
このようにエレベータの停止予定階床の報知装置を全て点灯させて点灯状態を確認する場合、この停止予定階床でエレベータを利用する乗客がいるとき、この停止予定階床の全ての報知装置が点灯するため、これらのエレベータの乗客はどのエレベータが到着するのか分からず、乗客に不信感や混乱を生じさせるという問題がある。そこで、このような問題を解消するために、乗場に音声案内器を備え、停止予定階床にいるエレベータの乗客に報知装置の点灯状態確認中である旨を音声で知らせるようにしたエレベータの点検装置が従来より提案されている（例えば、特許文献１参照）。
【特許文献１】特開昭５８−１１４７６号公報
【発明の開示】
【発明が解決しようとする課題】
【０００５】
この特許文献１に開示された従来のエレベータの点検装置では、音声による注意喚起があるものの、デパート等の複数の音声案内器が設置されている場所や周りの騒音が大きい場所では、音声が聞こえない場合があるため、音声による注意喚起では乗客の不信感や混乱を解消するのに不十分であり、エレベータの報知装置の信頼性が低いという問題があった。また、音声案内器を備えていない乗場では、エレベータの報知装置の点灯状態確認中である旨を知らせるすべもなく、このような乗場に新たに音声案内器を備える場合、各階に少なくとも１つ以上のスピーカー等の音声案内器をそれぞれ設置しなければならず、煩雑であり、コストが非常にかかる。
【０００６】
本発明は、このような従来技術の実情に鑑みてなされたもので、その目的は、エレベータの報知装置の点灯状態確認中においても報知装置の信頼性が高く、容易かつ安価に設置できるエレベータの点検装置を提供することにある。
【課題を解決するための手段】
【０００７】
上記の目的を達成するために、本発明のエレベータの点検装置は、複数台のエレベータが併設された各階床の乗場にそれぞれ設けられた複数の呼釦と、各階床の乗場で前記呼釦の登録状況に応じてどのエレベータの乗り籠を先に到着させるかを制御する制御装置と、各階床の乗場にそれぞれ設けられて前記制御装置の指令に応じてどのエレベータの乗り籠が先に当該乗場に到着するかを報知する複数の報知装置とを備えたエレベータの点検装置において、前記報知装置の点検指令を前記制御装置に与える点検指令手段と、前記各エレベータのうちの一台を通常運転から切り離して点検運転とする切り離し指令を前記制御装置に与える専用運転設定手段とを設け、前記点検指令及び前記切り離し指令を受けた前記制御装置は、前記点検指令手段及び前記専用運転設定手段で特定された一台のエレベータを通常運転から切り離して点検運転とし、この点検運転としたエレベータの乗り籠が停止する停止予定階床において前記呼釦が登録されていないとき、この停止予定階床の前記報知装置を全て動作させるように制御するとともに、この停止予定階床において前記呼釦が登録されているとき、この停止予定階床に先に到着する通常運転のエレベータの前記報知装置のみを動作させるように制御することを特徴としている。
【０００８】
このように構成されたエレベータの点検装置では、点検指令手段から報知装置の点検指令及び専用運転設定手段から切り離し指令を受けた制御装置が、複数のエレベータのうち一台のエレベータを通常運転から切り離して点検運転とし、この点検運転としたエレベータの乗り籠が停止する停止予定階床において呼釦が登録されていないとき、この停止予定階床の報知装置を全て動作させるように制御するとともに、この停止予定階床において呼釦が登録されているとき、この停止予定階床に先に到着する通常運転のエレベータの報知装置のみを動作させるように制御している。これにより、エレベータの到着を待っている乗客がいないとき、この停止予定階床において全ての報知装置を点灯させて報知装置の点灯状態の確認をすることができる。一方、エレベータの到着を待っている乗客がいるとき、これらの乗客が報知装置の点灯状態確認作業中に呼釦を登録することによって到着予定のエレベータの報知装置のみが点灯する。そのため、この停止予定階床にいるエレベータの乗客は報知装置の点灯状態確認作業中であっても、通常どおりこれらの報知装置でどのエレベータが到着するのかを確認することができ、エレベータの到着を待つ乗客に不信感や混乱を生じさせない。また、音声による注意喚起をする必要がなく、各階床の乗場に新たに音声案内器を設置する必要がない。
【０００９】
また、本発明に係るエレベータの点検装置では、制御装置は、この停止予定階床に先に到着する通常運転のエレベータの報知装置のみを動作させるように制御した後に、停止予定階床において点検指令手段から点検指令を再び受けたとき、この停止予定階床の報知装置を全て動作させるように制御することを特徴としている。このように構成すると、停止予定階床にいるエレベータの乗客がエレベータに乗った後に、そのまま停止予定階床において報知装置の点灯状態確認作業を再び継続することができる。そのため、停止予定階床でエレベータを待っている乗客がいても、先に次階の報知装置の点灯状態確認作業を行い、再び戻って停止予定階床の報知装置の点灯状態確認作業を行う必要がないので、効率的に報知装置の点灯状態を確認することができ、時間を節約できる。
【００１０】
また、本発明に係るエレベータの点検装置では、点検指令手段は、エレベータの乗り籠内に運転盤の押釦またはこの運転盤に接続可能な保守端末を備え、押釦または保守端末の操作に応じて制御装置に点検指令を与えることを特徴としている。このように構成すると、エレベータの乗り籠内から簡単な作業によって、報知装置の点灯状態確認作業を始めることができる。
【発明の効果】
【００１１】
本発明のエレベータの点検装置では、点検指令手段から報知装置の点検指令及び専用運転設定手段から切り離し指令を受けた制御装置が、複数のエレベータのうち一台のエレベータを通常運転から切り離して点検運転とし、この点検運転としたエレベータの乗り籠が停止する停止予定階床において呼釦が登録されていないとき、この停止予定階床の報知装置を全て動作させるように制御するとともに、この停止予定階床において呼釦が登録されているとき、この停止予定階床に先に到着する通常運転のエレベータの報知装置のみを動作させるように制御することができる。これにより、エレベータの到着を待っている乗客がいないとき、この停止予定階床において全ての報知装置を点灯させて報知装置の点灯状態の確認をすることができる。一方、エレベータの到着を待っている乗客がいるとき、これらの乗客は、報知装置の点灯状態確認作業中であっても、通常どおりこれらの報知装置で各エレベータの先着を判断することができるので、不信感を抱いたりあるいは混乱することもなく、これらの報知装置を信頼してエレベータの到着を待つことができる。また、音声による注意喚起をする必要がなく、各階床の乗場に新たに音声案内器を設置する必要がないので、容易かつ安価に本発明のエレベータの点検装置を設置できる。
【発明を実施するための最良の形態】
【００１２】
発明の実施の形態について図面を参照して説明すると、図１は本発明の実施形態に係るエレベータの点検装置の乗場構成図、図２は該エレベータの点検装置の制御ブロック構成図、図３は該エレベータの点検装置の動作を示すフローチャートである。
【００１３】
図１に示すように、本発明の実施形態に係るエレベータの点検装置は、図示しない３台のエレベータと、これら各エレベータの停止予定階床の乗場に３つの報知装置１と、各呼釦としての３つの乗場ボタン２と、３つの乗場ドア３とをそれぞれ備えている。また、図２に示すように、該エレベータの点検装置は、エレベータの各乗り籠及び各乗場と独立した群管理盤を備えている。この群管理盤は、制御装置４を有し、各報知装置１及び各乗場ボタン２とそれぞれ電気的に接続されている。さらに、各乗り籠は、これら３台のエレベータのうちの一台を通常運転から切り離して点検運転とする切り離し指令を与える専用運転設定手段５と、報知装置１の点検指令を与える報知装置点検指令手段６と、ドアの開閉完了を確認するドア開閉状態検出手段７と、エレベータの停止予定階床の検出を行う停止予定階床検出手段８とを有し、これらは制御装置４にそれぞれ電気的に接続されている。
【００１４】
これらの３つの乗場ボタン２のうち１つを押して呼びを登録すると、制御装置４が３台のエレベータの中から群管理制御によって１台のエレベータを選定し、選定されたエレベータが呼び登録された停止予定階床に向かって運転する。この際、この選定されたエレベータの報知装置１が点灯し、当該停止予定階床にいるエレベータの乗客に３台設置されたエレベータの中から到着予定の１台のエレベータを認識させている。
【００１５】
次に、本発明の実施形態に係るエレベータの動作を図３を用いながら説明する。また、便宜上、図１の乗場ドア３に到着する各エレベータを左からそれぞれＡ号機エレベータ、Ｂ号機エレベータ、Ｃ号機エレベータとし、対応する各乗場をそれぞれＡ号機乗場、Ｂ号機乗場、Ｃ号機乗場とする。
【００１６】
まず、図示しない作業員がこれら３つのエレベータの乗場ボタンのうち、Ａ号機エレベータの乗場ボタン２を押すと、Ａ号機乗場の報知装置１が点灯し、Ａ号機エレベータが停止予定階床に到着する。次に、呼び寄せたＡ号機乗場の乗場ドア３から作業員がＡ号機エレベータの乗り籠内に入り、この乗り籠内に設けられた専用運転設定手段５を操作して制御装置４に切り離し指令を与えると、制御装置４は、Ａ号機エレベータを点検エレベータとして自動サービス運転から切り離して専用運転とする。そして、Ａ号機エレベータの乗り籠内に設けられた図示しない運転盤の押釦または運転盤に接続した保守端末を操作することによって、報知装置点検指令手段６から制御装置４に点検指令を与えると、制御装置４は報知装置点検モード設定を行う（Ｓ１）。
【００１７】
このとき、制御装置４は、Ａ号機エレベータが専用運転になっているかを判別し（Ｓ２）、専用運転となっていない場合、報知装置点検モード設定拒否を行い（Ｓ１７）、エレベータの報知装置１の点検確認作業を終える。Ａ号機エレベータが専用運転となっている場合、報知装置点検モードを継続し、停止予定階床検出手段８によって、現在停止している階床を検出する（Ｓ３）。
【００１８】
例えば、停止予定階床検出手段８で停止予定階床が１階であることを検出すると、ドア開閉状態検出手段７によって、制御装置４は、Ａ号機エレベータのドアが戸開完了していることを確認する（Ｓ４）。制御装置４が戸開完了していることを確認後、１階乗場にいるエレベータの乗客がＢ号機乗場もしくはＣ号機乗場の乗場ボタン２を登録しているかどうかを制御装置４が判別する（Ｓ５）。Ｂ号機乗場もしくはＣ号機乗場の乗場ボタン２の登録がされてない場合、制御装置４は、１階の３台の報知装置１を全て点灯させ（Ｓ８）、作業員がこれらの報知装置１の点灯状態を確認する。一方、Ｂ号機乗場もしくはＣ号機乗場の乗場ボタン２の登録がされている場合、制御装置４は、Ｂ号機乗場もしくはＣ号機乗場の報知装置１のうち、１階に先に到着する報知装置１のみを点灯させる。
【００１９】
このように、１階の報知装置１の点灯状態確認作業中であっても、１階の３つの報知装置１が全て同時に点灯することがなく、到着予定のＢ号機乗場もしくはＣ号機乗場の報知装置１のみが通常どおりに点灯するので、１階でエレベータの到着を待っている乗客の混乱を防ぐことができる。
【００２０】
また、このとき、１階にいるエレベータの乗客がＢ号機エレベータもしくはＣ号機エレベータに乗り込んだ後、または作業員が１階でエレベータの到着を待っている乗客に報知装置１の点灯状態確認作業中である旨を伝え、再度１階の報知装置１の点灯状態確認作業を行うことが可能となれば、Ａ号機エレベータの乗り籠内に設けられた運転盤の押釦または運転盤に接続した保守端末を操作することによって、報知装置点検指令手段６から制御装置４に点検指令を再度与える。この指令を受けた制御装置４は、手動報知装置点検モードを設定し（Ｓ６）、１階の３台の報知装置１を再度全て点灯させ（Ｓ７）、作業員がこれらの報知装置１の点灯状態を確認する。
【００２１】
１階の３台の報知装置１の点灯状態を確認した後、報知装置１の点灯状態確認作業を終了する場合（Ｓ９）、点検開始時の操作と同様にして、Ａ号機エレベータの乗り籠内に設けられた運転盤の押釦または運転盤に接続した保守端末を操作することによって、報知装置点検指令手段６から制御装置４に点検の解除指令を与える。この指令を受けた制御装置４は、報知装置点検モードを解除し（Ｓ１５）、１階の３台の報知装置１を全て消灯させる（Ｓ１６）。
【００２２】
一方、１階の３台の報知装置１の点灯状態を確認した後、継続して次の目的階の報知装置１の点灯状態を確認する場合、作業員がＡ号機エレベータの乗り籠内の運転盤で次の目的階の呼びを登録する（Ｓ１０）。そして、次の目的階の呼びを登録した後、Ａ号機エレベータのドアが閉まり、ドア開閉状態検出手段７によって、制御装置４がＡ号機エレベータのドアが戸閉完了していることを確認すると（Ｓ１１）、１階の３台の報知装置を全て消灯させ（Ｓ１２）、Ａ号機エレベータが次の目的階に向かって運転する（Ｓ１３）。このＡ号機エレベータが目的階に到着すると（Ｓ１４）、前述したＳ３ないしＳ１４の手順と同様にしてこの目的階の報知装置１の点灯状態確認作業を行う。そして、この操作を繰り返すことで順次各階の報知装置１の点灯状態確認作業を行い、Ｓ９、Ｓ１５及びＳ１６の手順に基づいて報知装置１の点灯状態確認作業を終える。
【００２３】
このように構成した本発明の実施形態によれば、報知装置点検指令手段６から報知装置１の点検指令及び専用運転設定手段５から切り離し指令を受けた制御装置４は、停止予定階床の乗場ボタン２が登録されているかどうかの判定Ｓ５に基づき、乗場ボタン２が登録されていない場合、１階の３台の報知装置１を全て点灯させてその点灯状態を確認し、乗場ボタン２が登録されている場合、停止予定階床に先に到着する通常運転のエレベータの報知装置１のみを点灯させることができる。これにより、停止予定階床でエレベータの到着を待っている乗客がいないとき、作業員は停止予定階床の報知装置１の点灯状態を確認することができる。一方、エレベータの到着を待っている乗客がいるとき、これらの乗客は、停止予定階床の報知装置１の点灯状態確認作業中であっても、通常どおりこれらの報知装置１で各エレベータの先着を判断することができるので、不信感を抱いたりあるいは混乱することもない。また、音声による注意喚起をする必要がなく、各階床の乗場に新たに音声案内器を設置する必要がないので、容易かつ安価に該エレベータの点検装置を設置できる。
【００２４】
なお、上記実施形態に係るエレベータの点検装置では、各階床の乗場に３台のエレベータが設置された場合について説明したが、設置されるエレベータの数が２または４台以上であっても本発明は適用可能である。
【図面の簡単な説明】
【００２５】
【図１】本発明の実施形態に係るエレベータの点検装置の乗場構成図である。
【図２】該エレベータの点検装置の制御ブロック構成図である。
【図３】該エレベータの点検装置の動作を示すフローチャートである。
【符号の説明】
【００２６】
１  報知装置
２  乗場ボタン
３  乗場ドア
４  制御装置
５  専用運転設定手段
６  報知装置点検指令手段
７  ドア開閉状態検出手段
８  停止予定階床検出手段
【図１】
2010047409.tif 000003
【図２】
2010047409.tif 000004
【図３】
2010047409.tif 000005